(57)【要約】【課題】帽子本体が風等で飛ばされないように着帽者の頭にしっかり保持できる帽子を提供する。【解決手段】帽子本体２と、帽子本体２の内側に取外し可能に又は固定的に設けられて、帽子本体２が風等で飛ばされないように保持する保持具１とからなる帽子であって、保持具１は、帽子本体２のクラウン３の内側にあるスエットバンド５に沿った位置で着帽者の頭Ｈに巻き付けて固定する固定バンド６と、クラウン３の裏面に概ね沿うような立体形状に形成されていて、その下端部が固定バンド６に連結された髪形保護枠７とからなり、固定バンド６にはその一端部６ａ外側面と他端部６ｂ内側面とに、互いに係止可能な係止布８ａ，８ｂが装着されている。【選択図】図２
0003113728.tif 000002
【実用新案登録請求の範囲】
【請求項１】
帽子本体と、帽子本体の内側に取外し可能に又は固定的に設けられて、帽子本体が風等で飛ばされないように保持する保持具とからなる帽子であって、
保持具は、帽子本体のクラウンの内側に取り付けられたスエットバンドに沿った位置で着帽者の頭に巻き付けて固定する固定バンドと、前記クラウンの裏面に概ね沿うような立体形状に形成されていて、その下端部が固定バンドに連結された髪形保護枠とからなり、固定バンドにはその一端部外側面と他端部内側面とに、互いに係止可能な係止布が装着されている帽子。
【請求項２】
前記固定バンドの外周面所要箇所と当該箇所に対応する前記スエットバンドの内周面所要箇所とに互いに係止可能な係止布を装着することによって、保持具を帽子本体に対し取外し可能としてなる請求項１に記載の帽子。
【請求項３】
前記保持具の髪形保護枠は、両側一対の略逆Ｕ字状側枠部と両側枠部をつなぐ複数の連結枠部とからなるもので、これらの枠部を硬質の合成樹脂材によって帽子本体のクラウンの裏面に概ね沿うような立体形状に一体に形成し、各側枠部の下端部を固定バンドに連結してなる請求項１又は２に記載の帽子。
【考案の詳細な説明】
【技術分野】
【０００１】
本考案は、頭に被った状態で風等によって飛ばされないようにした帽子に関するものである。
【背景技術】
【０００２】
例えば、風の強い日に帽子を被って歩く時、あるいは風は強くなくても、帽子を被って自転車に乗るような時に、その風圧により帽子が脱げて飛ばされることがある。そして、飛ばされた帽子が道路等の地面に落ちた場合はすぐに拾えるし、汚れることも少ないが、その帽子が側溝や川等に落ちたような場合は、濡れたり、汚れたりして、面倒なことになる。
【考案の開示】
【考案が解決しようとする課題】
【０００３】
本考案は、上記に鑑みて、帽子本体が風等で飛ばされないように着帽者の頭にしっかり保持することができるようにした帽子を提供することを目的とする。
【課題を解決するための手段】
【０００４】
上記課題を解決するための手段を、後述する実施形態の参照符号を付して説明すると、請求項１に係る考案の帽子Ａは、帽子本体２と、帽子本体２の内側に取外し可能に又は固定的に設けられて、帽子本体２が風等で飛ばされないように保持する保持具１とからなる帽子であって、保持具１は、帽子本体２のクラウン３の内側に取り付けられたスエットバンド５に沿った位置で着帽者の頭Ｈに巻き付けて固定する固定バンド６と、前記クラウン３の裏面に概ね沿うような立体形状に形成されていて、その下端部が固定バンド６に連結された髪形保護枠７とからなり、固定バンド６にはその一端部６ａ外側面と他端部６ｂ内側面とに、互いに係止可能な係止布８ａ，８ｂが装着されていることを特徴とする。
【０００５】
請求項２は、請求項１に記載の帽子保持具において、前記固定バンド６の外周面所要箇所と当該箇所に対応する前記スエットバンド５の内周面所要箇所とに互いに係止可能な係止布９ａ，９ｂを装着することによって、保持具１を帽子本体２に対し取外し可能としてなることを特徴とする。
【０００６】
請求項３は、請求項１又は２に記載の帽子において、前記保持具１の髪形保護枠７は、両側一対の略逆Ｕ字状側枠部７ａ，７ａと両側枠部７ａ，７ａをつなぐ複数の連結枠部７ｂとからなるもので、これらの枠部７ａ，７ｂを硬質の合成樹脂材によって帽子本体２のクラウン３の裏面に概ね沿うような立体形状に一体に形成し、各側枠部７ａの下端部を固定バンド６に連結してなることを特徴とする。
【考案の効果】
【０００７】
上記解決手段による考案の効果を、後述する実施形態の参照符号を付して説明すると、請求項１に係る考案の帽子Ａによれば、着帽者が帽子本体２を頭Ｈに被った状態において、帽子本体２は、保持具１の固定バンド６によって着帽者の頭Ｈに確実に固定されるから、着帽者が風の強い日に帽子Ａを被って歩いたり、また風は強くなくても、帽子本体２を被って自転車やバイクに乗っている時に、風やその風圧で帽子本体２が脱げて飛ばされるようなことがなくなり、常に帽子Ａを安全に保持することができる。また、保持具１は帽子本体２のクラウン３の中に隠れてしまって、外から殆ど見えないため、外観を損なうことがない。
【０００８】
また保持具１の固定バンド６を着帽者の頭Ｈに固定するには、固定バンド６のほぼ全体を頭Ｈの額部から側頭部及び後頭部に亘って密着させた状態で、固定バンド６の一端部６ａにその他端部６ｂを重ね合わせればよいから、固定バンド６の固定作業が簡単容易となる。また、保持具１は、クラウン３の裏面に概ね沿うような立体形状に形成されていて、下端部が固定バンド６に連結された髪形保護枠７を有するから、帽子Ａを被る際に、誤ってクラウン３の頂部や側部を手で押し付けるようなことがあっても、着帽者が帽子Ａを被る前にせっかく綺麗にセットしていた髪形が崩れるようなことがない。
【０００９】
請求項２に係る考案によれば、固定バンド６の外周面所要箇所と当該箇所に対応する前記スエットバンド５の内周面所要箇所とに互いに係止可能な係止布９ａ，９ｂを装着することによって、保持具１を帽子本体２に対し取外し可能としているから、帽子本体２が汚れたり破損したりして使えなくなったような時は、保持具１はそのままで帽子本体２を新しいものと取り換えることができ、また帽子本体２は使えるが、保持具１が破損したような時には、保持具１のみを新しいものと交換することができ、また着帽者の好みに応じて帽子本体２を適宜に取り換えて使用することができ、そしてまたそれらの交換作業を簡単容易に行なうことができる。
【００１０】
請求項３に係る考案によれば、少数の枠部７ａ，７ｂによって構造的にシンプルで堅固な髪形保護枠７を形成することができ、また頭Ｈに被った時に、髪形保護枠７の頭髪に触れる部分が少なくなって、髪形を有効に保護することができると共に、違和感がなく、被り易くなる。
【考案を実施するための最良の形態】
【００１１】
以下に本考案の好適な実施形態を図面に基づいて説明すると、図１は本考案に係る帽子Ａの使用状態を示す斜視図であり、図２の(a) は帽子Ａの帽子本体２をやや下側から見た斜視図、(b) は帽子Ａの保持具１を横サイドから見た斜視図であり、図３は保持具１を後側から見た斜視図である。ここに例示した帽子本体２は、いわゆるソフトハットに類する帽子である。
【００１２】
この帽子Ａの帽子本体２は、帽子本体２の主体を成すクラウン３と、このクラウン３の下端周縁部から外側方へ突出する鍔（ブリムとも言う）４とからなるもので、クラウン３の内側にはその下端部内周縁に沿ってスエットバンド５が取り付けられている。スエットバンド５は、幅が３ｃｍ程度に形成された汗除け帯のことで、ほとんどの帽子に取り付けられている。
【００１３】
保持具１は、帽子本体２の主体を成すクラウン３の内側に取り付けてあるスエットバンド５に沿った位置で着帽者の頭Ｈに巻き付けて固定する固定バンド６と、帽子本体２のクラウン３の裏面に概ね沿うような立体形状に形成されていて、その下端部が固定バンド６に連結された髪形保護枠７とから構成される。髪形保護枠７は、帽子Ａを被った時に着帽者の髪形が崩れないように保護するものである。
【００１４】
固定バンド６には一端部の外側面とその他端部の内側面とに、互いに係止可能な係止布８ａ，８ｂが装着されており、またこの固定バンド６の外周面所要箇所と当該箇所に対応する前記スエットバンド５の内周面所要箇所とにも、互いに係止可能な係止布９ａ，９ｂが装着されている。
【００１５】
上記保持具１の構造について更に詳細に説明すると、固定バンド６は、例えば合成ゴムによって、長さがスエットバンド５の周方向長さ（又は着帽者の頭回り長さ）よりも１０ｃｍ程度長く、またバンド幅がスエットバンド５の幅の１／２程度に形成されたもので、その両端部６ａ，６ｂは他の帯状部よりも幅広く形成され、その一端部６ａの外側面に係止布８ａが装着され、他端部８ｂの内側面には係止布８ａと係止可能な係止布８ｂが装着されている。この係止布８ａ，８ｂはマジックテープ（登録商標）からなるものである。固定バンド６の両端部６ａ，６ｂを幅広く形成したのは、その両端部６ａ，６ｂが着帽者の頭Ｈの後側に位置するため、できるだけ幅の広い係止布８ａ，８ｂを取り付けて両端部６ａ，６ｂの連結操作が楽に行なえるようにすると共に、その両端部６ａ，６ｂを確実に連結できるようにするためである。
【００１６】
また、この固定バンド６の外側面には中間所要部の例えば２箇所に係止布９ａ，９ａが装着される一方、帽子本体２のクラウン３に取り付けてあるスエットバンド５の内周面には、固定バンド６側の係止布９ａ，９ａと夫々対応する位置に、係止布９ｂ，８ｂが装着されている。この係止布９ａ，９ｂも前記係止布８ａ，８ｂと同じくマジックテープ（登録商標）からなるものである。
【００１７】
尚、固定バンド６をゴム材によって形成した場合、汗を吸収することができないため、このゴムからなる固定バンド６の裏面に汗を吸収し易い布地等からなる裏地を貼着するとよい。また固定バンド６は、ゴム材に限らず、例えば合成繊維織物生地で多少の伸縮性を有する生地によって形成することができる。
【００１８】
上記髪形保護枠７は、図２の(b) 及び図３に示すように、左右両側一対の略逆Ｕ字状側枠部７ａ，７ａと、両側枠部７ａ，７ａをつなぐ複数の連結枠部７ｂとからなるもので、これらの枠部７ａ，７ｂは、例えば１．０ｍｍ〜１．５ｍｍ程度の厚みを有する硬質の塩化ビニル板を打ち抜きした後、プレス等によって帽子本体２のクラウン３の裏面に概ね沿うような立体形状に成形することによって形成される。この髪形保護枠７は、各略逆Ｕ字状側枠部７ａの下端部が固定バンド６の外側面所要部に、例えばカシメによって連結固定されている。そのカシメ金具を図中１０で示す。
【００１９】
尚、この実施形態では、左右両側一対の逆Ｕ字状側枠部７ａ，７ａと、両側枠部７ａ，７ａをつなぐ複数の連結枠部７ｂとによって髪形保護枠７を形成しているが、前後両側に配置される一対の逆Ｕ字状側枠部７ａ，７ａと、この前後一対の両側枠部７ａ，７ａをつなぐ複数の連結枠部７ｂとによって髪形保護枠７を形成してもよい。
【００２０】
上記のように髪形保護枠７を、両側一対の逆Ｕ字状側枠部７ａ，７ａと、両側枠部７ａ，７ａをつなぐ複数の連結枠部７ｂとによって髪形保護枠７を形成した場合には、比較的少数の枠部７ａ，７ｂによって構造的にシンプルで堅固な髪形保護枠７を形成することができ、また頭Ｈに被った時に、髪形保護枠７の頭髪に触れる部分が少なくなって、髪形を有効に保護することができると共に、違和感がなく、被り易い。
【００２１】
上記のように構成される帽子Ａの使用にあたっては、着帽者は、保持具１を図４及び図５に示すように被って頭Ｈに固定した後、この保持具１に帽子本体２を被せて、この帽子本体２を保持具１の固定バンド６に固定するようにしてもよいし、予め保持具１を帽子本体２のクラウン３内に挿入した状態で、これを頭Ｈに被り、その後で保持具１の固定バンド６を頭Ｈに固定するようにしてもよい。
【００２２】
何れの場合にも、保持具１の固定バンド６を着帽者の頭Ｈに固定するには、図４及び図５に示すように、固定バンド６の長手方向中央部６ｏ側が着帽者の頭Ｈの額部に当たり、その両端部６ａ，６ｂが頭Ｈの後頭部に位置するように保持具１を頭Ｈに被着させ、しかして固定バンド６のほぼ全体を頭Ｈの額部から側頭部及び後頭部に亘って密着させた状態で、固定バンド６の一端部６ａにその他端部６ｂを重ね合わせることにより、係止布８ａ，８ｂを介して固定バンド６の両端部６ａ，６ｂどうしを連結して、固定バンド６を着帽者の頭Ｈにしっかりと固定する。
【００２３】
また、帽子本体２を保持具１に固定するには、固定バンド６の外側面所要部に取り付けられた係止布９ａを、クラウン３の内側のスエットバンド５の所要箇所に取り付けられた係止布９ｂに係止させればよい。
【００２４】
上記のようにして保持具１を介して帽子本体２を着帽者の頭Ｈに被せた状態の帽子Ａを図１に示す。この図１に示す状態の帽子Ａにおいて、保持具１の固定バンド６が着帽者の頭Ｈに固定され、この固定バンド６に帽子本体２のクラウン３が係止布９ａ，９ｂを介して固定されるから、帽子本体２は着帽者の頭Ｈに確実に固定された状態となる。従って、着帽者が、風の強い日に帽子Ａを被って歩いたり、あるいは風は強くなくても、帽子Ａを被って自転車等に乗っているような時に、その風圧により帽子Ａが脱げて飛ばされるようなことがなくなり、常に帽子Ａを確実に保持することができる。また、保持具１は帽子本体２のクラウン３の中に隠れてしまって、外から殆ど見えないため、外観を損なうようなことがない。
【００２５】
また、保持具１は、帽子本体２のクラウン３の裏面に概ね沿うような立体形状に形成されていて下端部が固定バンド６に連結された髪形保護枠７を有するから、保持具１と共に帽子Ａを被る際に、誤ってクラウン３の頂部や側部を手で押し付けるようなことがあっても、着帽者が帽子Ａを被る前にせっかく綺麗にセットしていた髪形が崩れるようなことがない。
【００２６】
以上図１〜図５によって説明した実施形態の帽子Ａは、固定バンド６の外周面所要箇所と当該箇所に対応する前記スエットバンド５の内周面所要箇所とに互いに係止可能な係止布を装着することによって、保持具１を帽子本体２に対し取外し可能としているが、本考案においては、保持具１の髪形保護枠７を予め帽子本体２のクラウン３の裏面側に接着その他の取付手段で固定的に取り付けて、保持具１が帽子本体２に対し取外し不能としてもよい。
【００２７】
但し、図１〜図５によって説明した実施形態の帽子Ａのように、固定バンド６の外周面所要箇所と当該箇所に対応する前記スエットバンド５の内周面所要箇所とに互いに係止可能な係止布９ａ，９ｂを装着することによって、保持具１を帽子本体２に対し取外し可能としているから、帽子本体２が汚れたり破損したりして使えなくなったような時は、保持具１はそのままで帽子本体２のみを新しいものと取り換えることができ、また帽子本体２は使えるが、保持具１が破損したような時には、保持具１のみを新しいものと交換することができ、また着帽者の好みに応じて帽子本体２を適宜に取り換えて使用することができ、そしてまた係止布９ａ，９ｂによってそれらの交換作業を簡単容易に行なうことができる。
【００２８】
また、以上説明した帽子Ａの実施形態においては、帽子として、ソフトハット（中折れ帽を含む）に類する帽子Ａを例示したが、本考案に係る帽子保持具１は、このようなソフトハットに類する帽子Ａ以外に、野球帽（縁無し帽）、ベレー帽等の種々の帽子に適用可能である。
【図面の簡単な説明】
【００２９】
【図１】本考案に係る帽子の使用状態を示す斜視図である。
【図２】(a) は帽子の帽子本体をやや下側から見た斜視図、(b) は帽子の保持具を横サイドから見た斜視図である。
【図３】保持具を後側から見た斜視図である。
【図４】保持具を頭に付けた状態を着帽者の斜め前方から見た斜視図である。
【図５】保持具を頭に付けた状態を着帽者の後方から見た背面図である。
【符号の説明】
【００３０】
Ａ              帽子
１              保持具
２              帽子本体
３              帽子本体のクラウン
４              帽子本体の鍔
５              帽子本体のスエットバンド
６              保持具の固定バンド
７              保持具の髪形保護枠
８ａ，８ｂ      係止布
９ａ，９ｂ      係止布
【図１】
0003113728.tif 000003
【図２】
0003113728.tif 000004
【図３】
0003113728.tif 000005
【図４】
0003113728.tif 000006
【図５】
0003113728.tif 000007